(57)【要約】      （修正有）【課題】フロアスタンド等のスタンド構成体の設置装置に関し、好適に転倒を防止できる装置を提供する。【解決手段】スタンド構成体１１に設けられた座手段１２の座面１３を被設置体１４の受面１５に重ね合わせ、座面１３に設けたシート状固着手段１６を受面１５に固着する構成において、座面１３は、受面に対向する凹陥部２０を設け、凹陥部２０の内側底面により取付面を形成すると共に、凹陥部２０の外側面により接支面を形成しており、取付面にシート状固着手段１６を設けることにより、シート状固着手段１６の厚さＴに対する接支面と受面１５の間の距離ＳをＳ＜Ｔとなるように構成している。【選択図】図２
2017097209.tif 000002
【特許請求の範囲】
【請求項１】
スタンド構成体(11)に設けられた座手段(12)の座面(13)を被設置体(14)の受面(15)に重ね合わせ、前記座面(13)に設けた厚さＴのシート状固着手段(16)を前記受面(15)に固着する構成において、
前記座面(13)は、前記受面に対向する凹陥部(20)を設け、該凹陥部の内側底面により取付面(20a)を形成すると共に、該凹陥部の外側面により接支面(13a)を形成しており、
前記取付面(20a)に前記シート状固着手段(16)を設けることにより、前記シート状固着手段の厚さＴに対する前記接支面(13a)と受面(15)の間の距離ＳをＳ＜Ｔに構成して成ることを特徴とするスタンド構成体の設置装置。
【請求項２】
前記受面に対向する第１座板(12a)と、該第１座板の上に重合固着された第２座板(12b)により、前記スタンド構成体の座板手段(12)を形成し、
前記第１座板(12a)に開口された窓孔(21)により前記凹陥部(20)を設け、該凹陥部の内側に位置する第２座板(12b)の板面により前記取付面(20a)を形成すると共に、該凹陥部の外側に位置する第１座板の板面により前記接支面(13a)を形成して成ることを特徴とする請求項１に記載のスタンド構成体の設置装置。
【請求項３】
前記シート状固着手段(16)は、上側の第１ファスナシート(18)と下側の第２ファスナシート(19)を着脱自在に係着した面ファスナ手段(17)により構成され、上側の第１ファスナシート(18)を第１粘着手段(18a)により前記取付面(20a)に固着すると共に、下側の第２ファスナシート(19)に前記受面(15)に固着される第２粘着手段(19a)を設け、
スタンド構成体を被設置体に設置したとき、前記第２粘着手段(19a)を受面(15)に固着するように構成して成ることを特徴とする請求項１又は２に記載のスタンド構成体の設置装置。
【請求項４】
前記凹陥部(20)の取付面(20a)の面積が前記面ファスナ手段(17)の面積よりも大きく形成されており、
前記凹陥部(20)は、前記第１粘着手段(18a)により面ファスナ手段(17)を前記取付面(20a)に固着した状態で、該面ファスナ手段の周囲に遊びとなる環状凹部(20b)を形成するように構成されて成ることを特徴とする請求項３に記載のスタンド構成体の設置装置。
【発明の詳細な説明】
【技術分野】
【０００１】
本発明は、フロアスタンド等のスタンド構成体の設置装置に関する。
【背景技術】
【０００２】
従来、例えば、店舗に設置されるキオスク端末用スタンドや、各種施設に設置されるデジタルサイネージ用スタンド等のフロアスタンドは、座板から成る座手段をフロアに載置することにより起立状態で設置されている。このため、利用者やその他の者の身体等が強く衝突すると転倒のおそれがあり、周囲の幼児や高齢者に危険を招来する可能性がある。
【０００３】
従って、フロアスタンド等のスタンド構成体は、フロアに起立設置する際、転倒防止手段を設けることが望ましい。
【０００４】
この点に関して、例えば、フロアにアンカーボルトを植設し、該ボルトにスタンド構成体の座手段を固着するように構成すれば、確実に転倒防止の目的を達成することができるが、大掛かりな工事を必要とするだけでなく、任意の設置場所を選択することが困難であるという問題がある。
【先行技術文献】
【特許文献】
【０００５】
【特許文献１】特開２０１１−２２１２７５号公報
【特許文献２】実用新案登録第３１７９８９６号公報
【発明の概要】
【発明が解決しようとする課題】
【０００６】
ところで、本発明者は、フロア等にスタンド構成体を起立設置する際、粘着テープや面ファスナ等のシート状固着手段を使用することにより、スタンド構成体の座手段をフロアの受面に対して固着すれば、大掛かりな工事を必要としない簡単かつ安価な方法でスタンド構成体の転倒を防止することが可能となり、上記問題を解決できることを知見した。特に、シート状固着手段として面ファスナを使用すれば、起立設置後のスタンド構成体をフロアから離脱させて移動できるので、保守点検等が容易になるという利点がある。
【０００７】
しかしながら、この場合、座手段がシート状固着手段の厚さに相当してフロアの受面から浮き上がるため、次のような問題がある。
【０００８】
即ち、例えば、マジックテープ（登録商標）のような面ファスナを使用することにより設置装置を構成した比較例を図１４に示すと、スタンド構成体１は、座手段を構成する座板２の下面に形成された座面３に面ファスナ手段６を設け、該面ファスナ手段６によりフロア４の受面５に固着されることになる。
【０００９】
この際、面ファスナ手段６は、着脱自在に係着された上側の第１ファスナシート７と下側の第２ファスナシート８により構成され、前記座面３に固着（粘着ないし接着）される第１ファスナシート７の第１粘着手段７ａと、前記受面５に固着（粘着ないし接着）される第２ファスナシート８の第２粘着手段８ａを含んで全体厚さが「厚さＴ」とされている。このため、前記厚さＴに相当して、座面３がフロア４の受面５から距離ＳＬで示す隙間を形成した状態で浮き上がることになる。
【００１０】
ところで、相互に係着した面ファスナ手段６の第１ファスナシート７と第２ファスナシート８は、座板２の横方向の移動Ｌに対しては、比較的強い係着力を保持することができる。しかしながら、座板２が距離ＳＬで示すように大きく浮き上がっている結果、スタンド構成体１に転倒方向Ｒの外力が加えられると、座板２の座面３が矢印Ｖで示すように受面５から離反方向に引き剥がされ、第１ファスナシート７が第２ファスナシート８から剥離するおそれがあり、このため、転倒防止手段として不十分であり、転倒の危険を確実に防止することができないという問題がある。
【課題を解決するための手段】
【００１１】
本発明は、上記課題を解決したスタンド構成体の設置装置を提供するものであり、その手段として構成したところは、スタンド構成体に設けられた座手段の座面を被設置体の受面に重ね合わせ、前記座面に設けた厚さＴのシート状固着手段を前記受面に固着する構成において、前記座面は、前記受面に対向する凹陥部を設け、該凹陥部の内側底面により取付面を形成すると共に、該凹陥部の外側面により接支面を形成しており、前記取付面に前記シート状固着手段を設けることにより、前記シート状固着手段の厚さＴに対する前記接支面と受面の間の距離ＳをＳ＜Ｔに構成して成る点にある。
【００１２】
本発明の好ましい実施形態は、前記受面に対向する第１座板と、該第１座板の上に重合固着された第２座板により、前記スタンド構成体の座板手段を形成し、前記第１座板に開口された窓孔により前記凹陥部を設け、該凹陥部の内側に位置する第２座板の板面により前記取付面を形成すると共に、該凹陥部の外側に位置する第１座板の板面により前記接支面を形成している。
【００１３】
前記シート状固着手段は、上側の第１ファスナシートと下側の第２ファスナシートを着脱自在に係着した面ファスナ手段により構成され、上側の第１ファスナシートを第１粘着手段により前記取付面に固着すると共に、下側の第２ファスナシートに前記受面に固着される第２粘着手段を設けていることが好ましく、これにより、スタンド構成体を被設置体に設置したとき、前記第２粘着手段を受面に固着するように構成されている。
【００１４】
好ましくは、前記凹陥部の取付面の面積が前記面ファスナ手段の面積よりも大きく形成されており、前記凹陥部は、前記第１粘着手段により面ファスナ手段を前記取付面に固着した状態で、該面ファスナ手段の周囲に遊びとなる環状凹部を形成するように構成されている。
【発明の効果】
【００１５】
請求項１に記載の本発明によれば、スタンド構成体１１を被設置体１４の所定の受面１５に起立設置させた状態において、座手段１２の座面１３が受面１５に対してシート状固着手段１６により固着されるので、スタンド構成体１１の転倒を好適に防止することができる。
【００１６】
この際、厚さＴとされたシート状固着手段１６は、座面１３の深さＤとされた凹陥部２０の内側底面の取付面２０ａに取着され、凹陥部２０の外側面には座面１３による接支面１３ａが形成されている。
【００１７】
そこで、厚さＴのシート状固着手段１６が深さＤの凹陥部２０に埋没されている結果、座板１２の接支面１３ａと受面１５の間の距離Ｓは、Ｓ＜Ｔに形成され、狭小な隙間だけが形成されている。
【００１８】
このため、スタンド構成体１１に転倒方向Ｒの外力が加えられ、スタンド構成体１１が僅かに傾くと、直ちに接支面１３ａが受面１５に接支することにより、それ以上の傾きを阻止するので、シート状固着手段１６の部分において接支面１３ａが受面１５から浮き上がることはなく、これにより、シート状固着手段１６の剥離を阻止し、スタンド構成体１１の転倒を確実に防止するという効果がある。
【００１９】
請求項２に記載の本発明によれば、第１座板１２ａに開設した窓孔２１により凹陥部２０を形成し、第１座板１２ａに重合固着された第２座板１２ｂにより凹陥部２０の内側底面（取付面２０ａ）を形成するように構成しているので、第１座板１２ａに窓孔２１を打抜きにより開口させる簡単な加工により、該第１座板１２ａの板厚に相当する深さＤの凹陥部２０を容易に形成することができる利点がある。
【００２０】
請求項３に記載の本発明によれば、シート状固着手段１６を面ファスナ手段１７により構成しているので、第１ファスナシート１８と第２ファスナシート１９を剥離させることにより、スタンド構成体１１を起立設置場所から移動することができ、保守点検や修理を容易に行うことが可能であり、しかも、元の場所に戻して再び起立設置させることができるという効果がある。
【００２１】
請求項４に記載の本発明によれば、保守点検や修理を終えた後のスタンド構成体１１を元の場所に再び起立設置させる際、第１ファスナシート１８と第２ファスナシート１９を正確に位置決めさせなくても、再度、良好に係着させることができる利点がある。
【図面の簡単な説明】
【００２２】
【図１】本発明の第１実施形態に係る設置装置を備えたスタンド構成体の設置状態を示す斜視図である。
【図２】スタンド構成体の設置方法を示す斜視図である。
【図３】第１実施形態に係る設置装置を示しており、（Ａ）は座板の座面を示す斜視図、（Ｂ）は凹陥部と面ファスナ手段を斜視方向から示す断面図、（Ｃ）は縦断面図である。
【図４】座板を受面に設置する直前の状態を示す断面図である。
【図５】座板を受面に設置した状態を示す断面図である。
【図６】座板を受面から剥離した状態を示す断面図である。
【図７】座板を受面に再度設置した状態を示す断面図である。
【図８】再設置用の位置決め手段を設けた実施形態を示しており、（Ａ）は位置決め手段を設けた座板の斜視図、（Ｂ）は断面図である。
【図９】前記位置決め手段を設けた座板を受面に設置する直前の状態を示す断面図である。
【図１０】前記位置決め手段を設けた座板を受面に設置した状態を示す断面図である。
【図１１】前記位置決め手段を設けた座板を受面に設置する際の作用を示す斜視図である。
【図１２】本発明の第２実施形態に係る設置装置を備えた座板を受面に設置する直前の状態を示す断面図である。
【図１３】第２実施形態に係る設置装置を備えた座板を受面に設置した状態を示す断面図である。
【図１４】本発明に対する比較例を示す断面図である。
【発明を実施するための形態】
【００２３】
以下図面に基づいて本発明の好ましい実施形態を詳述する。
【００２４】
（第１実施形態）
図１ないし図７は、本発明の第１実施形態を示しており、スタンド構成体１１は、店舗等に設置されるキオスク端末用スタンドにより例示されるフロアスタンドを構成し、該スタンド構成体１１の下端部に座手段を構成する座板１２を設けており、該座板１２をフロア１４に載置することにより起立設置させられるように構成している。従って、座板１２の下面は、平坦な座面１３を形成し、フロア１４の平坦なフロア面の所定個所を受面１５として、座面１３を受面１５の上に安定状態で載置させられる。
【００２５】
しかしながら、本発明のスタンド構成体１１の設置装置は、フロア１４に起立設置されるフロアスタンドに限らず、例えば、テーブルやカウンターに起立設置される種々のスタンドにも適用可能であるから、受面１５は、フロアの他にテーブルやカウンター等の座板１２を設置するための被設置体により構成される。従って、本発明において、符号１４で示すものは、フロアに限定されない被設置体であることを諒解されたい。
【００２６】
図示のように、座板１２の下面に形成された座面１３には、シート状固着手段１６が設けられている。図１ないし図７に示す第１実施形態の場合、シート状固着手段１６は、マジックテープ（登録商標）やベルクロ（登録商標）のような面ファスナ手段１７により構成されており、図３（Ｃ）に示すように、相互に着脱自在に係着された第１ファスナシート１８と第２ファスナシート１９により構成され、両ファスナシート１８、１９の係着面と反対側の表面にそれぞれ両面粘着テープから成る第１粘着手段１８ａと第２粘着手段１９ａを設けており、これにより全体厚さが「厚さＴ」とされている。
【００２７】
前記第１粘着手段１８ａ及び第２粘着手段１９ａは、面ファスナ手段１７が製品として提供されるときは離型シートにより被覆されている。本発明の設置装置は、離型シートを剥離することにより露出した第１粘着手段１８ａを座板１２に粘着し、第２粘着手段１９ａを被覆する離型シート１９ｂは、スタンド構成体１１を被設置体１４に設置する際に剥離される。
【００２８】
前記座板１２の座面１３は、凹陥部２０を設けており、該凹陥部２０の内側底面により前記シート状固着手段１６を取付けるための取付面２０ａを形成し、該凹陥部２０の外側面（前記座面１３自体）により接支面１３ａを形成している。
【００２９】
そこで、前記第１ファスナシート１８の第１粘着手段１８ａが前記取付面２０ａに粘着ないし接着により固着され、これにより面ファスナ手段１７が座板１２に設けられている。このため、図３（Ｃ）に示すように、厚さＴとされた面ファスナ手段１７は、凹陥部２０の深さＤだけ接支面１３ａから没入されており、接支面１３ａから突出する面ファスナ手段１７の突出量はＴ−Ｄとされている。
【００３０】
本発明の好ましい実施形態において、前記スタンド構成体１１の座手段を構成する座板１２は、前記受面１５に対向する下側の金属板製の第１座板１２ａと、該第１座板１２ａの上に重合固着された金属板製の第２座板１２ｂを備えており、前記第１座板１２ａに窓孔２１を開口することにより、前記凹陥部２０を形成している。つまり、第１座板１２ａに開設した窓孔２１により凹陥部２０を形成し、第１座板１２ａに重合固着された第２座板１２ｂにより凹陥部２０の内側底面（前記取付面２０ａ）を形成している。これにより、第１座板１２ａに窓孔２１を打抜きにより開口させる簡単な加工で、該第１座板１２ａの板厚に相当する深さＤの凹陥部２０を容易に形成することができる利点がある。
【００３１】
好ましくは、座面１３には、複数個の凹陥部２０が形成され、各凹陥部２０の取付面２０ａに面ファスナ手段１７が設けられている。この際、図３（Ｂ）に示すように、凹陥部２０及び取付面２０ａの面積は、面ファスナ手段１７の面積よりも大きく形成されている。つまり、凹陥部２０及び面ファスナ手段１７を矩形状に形成した図示実施形態の場合、面ファスナ手段１７の縦横幅Ｗ１と凹陥部２０の縦横幅Ｗ２は、Ｗ１＜Ｗ２とするように形成されている。これにより、凹陥部２０は、取付面２０ａに固着された面ファスナ手段１７の周囲に遊びとなる環状凹部２０ｂを形成する。尚、凹陥部２０及び面ファスナ手段１７は、図例のような矩形状の他、多角形状や、円形又は楕円形等、任意の形状に形成しても良い。
【００３２】
上記第１実施形態によれば、スタンド構成体１１を被設置体１４の所定の受面１５に起立設置させる場合、図４に示すように、座板１２の下面に設けられた面ファスナ手段１７の離型シート１９ｂを剥離し、これにより露出させられた第２粘着手段１９ａを受面１５に対して粘着ないし接着により固着させ、図１に示すように、被設置体１４の上にスタンド構成体１１を起立設置させれば良い。
【００３３】
起立設置状態において、図５に示すように、厚さＴとされた面ファスナ手段１７は、深さＤとされた凹陥部２０に埋没されている。従って、座板１２の接支面１３ａと受面１５の間の距離Ｓは、Ｓ＜Ｔに形成され、距離Ｓで示される隙間を可及的小さくすることができる。
【００３４】
このため、スタンド構成体１１に転倒方向Ｒの外力が加えられ、スタンド構成体１１が僅かに傾くと、直ちに接支面１３ａが受面１５に接支することにより、それ以上の傾きを阻止するので、面ファスナ手段１７の部分において接支面１３ａが受面１５から浮き上がることはなく、これにより、第１ファスナシート７が第２ファスナシート８から剥離することを防止し、スタンド構成体１１の転倒を確実に防止する。
【００３５】
尚、面ファスナ手段１７は、スタンド構成体１１の重力を受けることにより、第１ファスナシート１８と第２ファスナシート１９の係着片を相互に喰い込ませながら厚さＴを減じるので、前記隙間を示す距離Ｓは、ほとんどゼロに近くなり、両ファスナシート１８、１９の剥離防止のために良好に機能する。
【００３６】
起立設置状態からスタンド構成体１１を強く引き上げると、座板１２と共に第１ファスナシート１８が第２ファスナシート１９から剥離される。尚、第２ファスナシート１９は受面１５に残置される。従って、図２に示すように、スタンド構成体１１は、倒伏させ又は別の場所に移動することができる。これにより、スタンド構成体１１の保守点検や修理を容易に行うことが可能である。
【００３７】
保守点検や修理を終えたスタンド構成体１１を再び受面１５に戻して、起立設置する場合、図６に示すように、上方から視認する作業者は、座板１２の下面に位置する第１ファスナシート１８と、受面１５に残置した第２ファスナシート１９を正確に位置決めすることが困難である。この点に関して、上述のように、第１ファスナシート１８の周囲には凹陥部２０による環状凹部２０ｂが形成されているので、多少の位置ずれが生じても、図７に示すように、第２ファスナシート１９が環状凹部２０ｂにより囲まれた領域に位置する限り、両ファスナシート１８、１９を好適に係着させることができ、しかも、両者を係着することによりスタンド構成体１１を起立設置した状態で、座板１２の接支面１３ａと受面１５の間の距離Ｓで示す隙間を可及的小さくするように抑制し、上述と同様の転倒防止手段を構成する。
【００３８】
（再設置用の位置決め手段を設けた実施形態）
図８ないし図１１は、上記第１実施形態の設置装置に加えて、再設置用の位置決め手段２２を設けた実施形態を示している。
【００３９】
位置決め手段２２は、座板１２のコーナ部分又は直線縁部分に沿って設けられた指標片２３を備えており、該指標片２３は、下面に粘着手段２４を設けると共に、座板１２に対して分離自在な仮止め手段２５により固定されている。図示構成の場合、前記粘着手段２４は、両面粘着テープにより構成され、該両面粘着テープの延長部分を座板１２に粘着することにより前記仮止め手段２５を形成しており、該両面粘着テープの下面を離型シート２６により被覆している。
【００４０】
そこで、上述のようにスタンド構成体１１を所定の受面１５に起立設置させる際、図９に示すように、前記離型シート２６を剥離させ、前記粘着手段２４を構成する両面粘着テープの下面を露出させる。従って、図１０に示すように、スタンド構成体１１を受面１５に起立設置したとき、指標片２３は、座板１２の所定個所に設けられた状態で、前記粘着手段２４を介して受面１５に固着される。
【００４１】
保守点検や修理のために、起立設置状態からスタンド構成体１１を強く引き上げることにより、上述のように第１ファスナシート１８を第２ファスナシート１９から剥離したとき、座板１２が仮止め手段２５から剥離され、座板１２と指標片２３を分離させることにより、図１１に示すように、指標片２３を受面１５に残置させる。
【００４２】
そこで、保守点検や修理を終えたスタンド構成体１１を再び受面１５に戻して、起立設置する場合、図１１に示すように、受面１５に指標片２３が残置されているので、これを指標として目視しながら、座板１２を元の位置に戻すことができ、その状態で、再び第１ファスナシート１８を第２ファスナシート１９に係着させれば良い。
【００４３】
（第２実施形態）
図１２及び図１３は、本発明の第２実施形態を示している。第１実施形態の場合は、シート状固着手段１６を２枚のファスナシート１８、１９から成る面ファスナ手段１７により構成したが、第２実施形態は、シート状固着手段１６を単一の両面粘着シートから成る粘着シート２７により構成している。その他の構成は、上述した第１実施形態と同様である。
【００４４】
前記粘着シート２７は、厚さＴとされた両面粘着シートから成り、座板１２の座面１３に深さＤとされた凹陥部２０を介して形成された取付面２０ａに粘着されており、下側の粘着面２７ａを接支面１３ａから僅かに突出させている。
【００４５】
そこで、前記粘着面２７ａを受面１５に粘着させることにより、スタンド構成体１１を被設置体１４の所定の受面１５に起立設置させたとき、図１３に示すように、厚さＴとされた粘着シート２７は、深さＤとされた凹陥部２０に埋没されているので、座板１２の接支面１３ａと受面１５の間の距離Ｓは、Ｓ＜Ｔに形成されている。
【００４６】
このため、スタンド構成体１１に転倒方向Ｒの外力が加えられ、スタンド構成体１１が僅かに傾くと、直ちに接支面１３ａが受面１５に接支することにより、それ以上の傾きを阻止するので、粘着シート２７の部分において接支面１３ａが受面１５から浮き上がることはなく、これにより、粘着シート２７と取付面２０ａ又は受面１５の間の剥離が防止され、スタンド構成体１１の転倒が確実に防止される。
【符号の説明】
【００４７】
１１  スタンド構成体
１２  座板
１２ａ  第１座板
１２ｂ  第２座板
１３  座面
１３ａ  接支面
１４  被設置体
１５  受面
１６  シート状固着手段
１７  面ファスナ手段
１８  第１ファスナシート
１８ａ  第１粘着手段
１９  第２ファスナシート
１９ａ  第２粘着手段
１９ｂ  離型シート
２０  凹陥部
２０ａ  取付面
２０ｂ  環状凹部
２１  窓孔
２２  再設置用の位置決め手段
２３  指標片
２４  粘着手段
２５  仮止め手段
２６  離型シート
２７  粘着シート
【図１】
2017097209.tif 000003
【図２】
2017097209.tif 000004
【図３】
2017097209.tif 000005
【図４】
2017097209.tif 000006
【図５】
2017097209.tif 000007
【図６】
2017097209.tif 000008
【図７】
2017097209.tif 000009
【図８】
2017097209.tif 000010
【図９】
2017097209.tif 000011
【図１０】
2017097209.tif 000012
【図１１】
2017097209.tif 000013
【図１２】
2017097209.tif 000014
【図１３】
2017097209.tif 000015
【図１４】
2017097209.tif 000016
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
キオスク端末用スタンド、デジタルサイネージ用スタンド、その他のフロアスタンドに関して、被設置体とされたフロアの受面(15)に対し、前記フロアスタンドを構成するスタンド構成体(11)の座板(12)を重ね合わせた状態で載置することにより起立状態で設置する構成において、
前記座板(12)に設けた第１ファスナシート(18)と前記受面(15)に設けた第２ファスナシート(19)により着脱自在に係着する面ファスナ手段(17)を構成すると共に、相互に係着された両ファスナシート(18)(19)により構成されるシート状固着手段(16)の全体厚さを厚さＴとしており、
前記座板(12)は、前記受面(15)に対面する座面(13)を形成する金属板製の第１座板(12a)と、該第１座板に重合固着された金属板製の第２座板(12b)により構成され、
前記第１座板(12a)は、打ち抜き開口された窓孔(21)により前記座面(13)に凹陥部(20)を形成すると共に、該窓孔(21)の周囲の座面(13)により接支面(13a)を形成し、
前記凹陥部(20)は、内側底面を構成する前記第２座板(12b)の表面を取付面(20a)として、前記接支面(13a)から取付面(20a)までの凹陥部(20)の深さＤを前記第１座板(12a)の板厚により形成し、該深さＤをＤ＜Ｔに形成すると共に、前記取付面(20a)に第１ファスナシート(18)を固着しており、
前記座板を受面に設置して面ファスナ手段(17)を係着させた状態で、前記接支面(13a)と受面(15)の間の距離ＳをＳ＜Ｔに構成して成ることを特徴とするスタンド構成体の設置装置。
【請求項２】
前記座板(12)と受面(15)の間において、面ファスナ手段(17)を構成する複数のシート状固着手段(16)が所定間隔をあけて配置されており、
複数のシート状固着手段(16,16)のそれぞれに対応して、第１座板(12a)に所定間隔をあけて複数の窓孔(21,21)による複数の凹陥部(20,20)を形成しており、それぞれの凹陥部(20,20)の周囲の座面(13)により接支面(13a)を形成して成ることを特徴とする請求項１に記載のスタンド構成体の設置装置。
【請求項３】
前記シート状固着手段(16)は、第１ファスナシート(18)を前記座板(12)の取付面(20a)に第１粘着手段(18a)を介して固着した状態で、第１ファスナシート(18)と第２ファスナシート(19)を係着すると共に、第２ファスナシート(19)に前記受面(15)に対面する第２粘着手段(19a)を設けており、
スタンド構成体を起立させた状態で座板を被設置体に載置したとき、前記第２粘着手段(19a)を受面(15)に固着させるように構成して成ることを特徴とする請求項１又は２に記載のスタンド構成体の設置装置。
【請求項４】
前記凹陥部(20)の取付面(20a)の面積が前記面ファスナ手段(17)の面積よりも大きく形成されており、
前記凹陥部(20)は、前記第１粘着手段(18a)により面ファスナ手段(17)を前記取付面(20a)に固着した状態で、該面ファスナ手段の周囲に遊びとなる環状凹部(20b)を形成するように構成されて成ることを特徴とする請求項３に記載のスタンド構成体の設置装置。
【手続補正２】
【補正対象書類名】明細書
【補正対象項目名】全文
【補正方法】変更
【補正の内容】
【発明の詳細な説明】
【技術分野】
【０００１】
本発明は、フロアスタンド等のスタンド構成体の設置装置に関する。
【背景技術】
【０００２】
従来、例えば、店舗に設置されるキオスク端末用スタンドや、各種施設に設置されるデジタルサイネージ用スタンド等のフロアスタンドは、卓上に載置される小物のスタンド等とは異なり、比較的大型で重量物とされているため、座板から成る座手段をフロアに載置することにより起立状態で設置されている。このため、利用者やその他の者の身体等が強く衝突すると転倒のおそれがあり、周囲の幼児や高齢者に危険を招来する可能性がある。
【０００３】
従って、フロアスタンド等のスタンド構成体は、フロアに起立設置する際、転倒防止手段を設けることが望ましい。
【０００４】
この点に関して、例えば、フロアにアンカーボルトを植設し、該ボルトにスタンド構成体の座手段を固着するように構成すれば、確実に転倒防止の目的を達成することができるが、大掛かりな工事を必要とするだけでなく、任意の設置場所を選択することが困難であるという問題がある。
【先行技術文献】
【特許文献】
【０００５】
【特許文献１】特開２０１１−２２１２７５号公報
【特許文献２】実用新案登録第３１７９８９６号公報
【発明の概要】
【発明が解決しようとする課題】
【０００６】
ところで、本発明者は、フロア等にスタンド構成体を起立設置する際、粘着テープや面ファスナ等のシート状固着手段を使用することにより、スタンド構成体の座手段をフロアの受面に対して固着すれば、大掛かりな工事を必要としない簡単かつ安価な方法でスタンド構成体の転倒を防止することが可能となり、上記問題を解決できることを知見した。特に、シート状固着手段として面ファスナを使用すれば、起立設置後のスタンド構成体をフロアから離脱させて移動できるので、保守点検等が容易になるという利点がある。
【０００７】
しかしながら、この場合、座手段がシート状固着手段の厚さに相当してフロアの受面から浮き上がるため、次のような問題がある。
【０００８】
即ち、例えば、マジックテープ（登録商標）のような面ファスナを使用することにより設置装置を構成した比較例を図１２に示すと、スタンド構成体１は、座手段を構成する座板２の下面に形成された座面３に面ファスナ手段６を設け、該面ファスナ手段６によりフロア４の受面５に固着されることになる。
【０００９】
この際、面ファスナ手段６は、着脱自在に係着された上側の第１ファスナシート７と下側の第２ファスナシート８により構成され、前記座面３に固着（粘着ないし接着）される第１ファスナシート７の第１粘着手段７ａと、前記受面５に固着（粘着ないし接着）される第２ファスナシート８の第２粘着手段８ａを含んで全体厚さが「厚さＴ」とされている。このため、前記厚さＴに相当して、座面３がフロア４の受面５から距離ＳＬで示す隙間を形成した状態で浮き上がることになる。
【００１０】
ところで、相互に係着した面ファスナ手段６の第１ファスナシート７と第２ファスナシート８は、座板２の横方向の移動Ｌに対しては、比較的強い係着力を保持することができる。しかしながら、座板２が距離ＳＬで示すように大きく浮き上がっている結果、スタンド構成体１に転倒方向Ｒの外力が加えられると、座板２の座面３が矢印Ｖで示すように受面５から離反方向に引き剥がされ、第１ファスナシート７が第２ファスナシート８から剥離するおそれがあり、このため、転倒防止手段として不十分であり、転倒の危険を確実に防止することができないという問題がある。
【課題を解決するための手段】
【００１１】
本発明は、上記課題を解決したスタンド構成体の設置装置を提供するものであり、その手段として構成したところは、キオスク端末用スタンド、デジタルサイネージ用スタンド、その他のフロアスタンドに関して、被設置体とされたフロアの受面に対し、前記フロアスタンドを構成するスタンド構成体の座板を重ね合わせた状態で載置することにより起立状態で設置する構成において、前記座板に設けた第１ファスナシートと前記受面に設けた第２ファスナシートにより着脱自在に係着する面ファスナ手段を構成すると共に、相互に係着された両ファスナシートにより構成されるシート状固着手段の全体厚さを厚さＴとしており、前記座板は、前記受面に対面する座面を形成する金属板製の第１座板と、該第１座板に重合固着された金属板製の第２座板により構成され、前記第１座板は、打ち抜き開口された窓孔により前記座面に凹陥部を形成すると共に、該窓孔の周囲の座面により接支面を形成し、前記凹陥部は、内側底面を構成する前記第２座板の表面を取付面として、前記接支面から取付面までの凹陥部の深さＤを前記第１座板の板厚により形成し、該深さＤをＤ＜Ｔに形成すると共に、前記取付面に第１ファスナシートを固着しており、前記座板を受面に設置して面ファスナ手段を係着させた状態で、前記接支面と受面の間の距離ＳをＳ＜Ｔに構成して成る点にある。
【００１２】
この際、前記座板と受面の間には、面ファスナ手段を構成する複数のシート状固着手段を所定間隔をあけて配置することが好ましく、複数のシート状固着手段のそれぞれに対応して、第１座板に所定間隔をあけて複数の窓孔による複数の凹陥部を形成し、それぞれの凹陥部の周囲の座面により接支面を形成することが好ましい。
【００１３】
前記シート状固着手段は、第１ファスナシートを前記座板の取付面に第１粘着手段を介して固着した状態で、第１ファスナシートと第２ファスナシートを係着すると共に、第２ファスナシートに前記受面に対面する第２粘着手段を設けていることが好ましく、これにより、スタンド構成体を起立させた状態で座板を被設置体に載置したとき、前記第２粘着手段が受面に固着させられることになる。
【００１４】
好ましくは、前記凹陥部の取付面の面積が前記面ファスナ手段の面積よりも大きく形成されており、前記凹陥部は、前記第１粘着手段により面ファスナ手段を前記取付面に固着した状態で、該面ファスナ手段の周囲に遊びとなる環状凹部を形成するように構成されている。
【発明の効果】
【００１５】
請求項１に記載の本発明によれば、キオスク端末用スタンド、デジタルサイネージ用スタンド、その他のフロアスタンドを構成するスタンド構成体１１をフロア面の受面１５に起立設置させた状態において、座手段１２の座面１３が受面１５に対してシート状固着手段１６により固着され、スタンド構成体１１の転倒を好適に防止する。
【００１６】
この際、厚さＴとされたシート状固着手段１６は、座面１３の深さＤとされた凹陥部２０の内側底面の取付面２０ａに取着され、凹陥部２０の外側面には座面１３による接支面１３ａが形成されている。
【００１７】
そこで、厚さＴのシート状固着手段１６が深さＤの凹陥部２０に埋没されており、Ｄ＜Ｔとされている結果、座板１２の接支面１３ａと受面１５の間の距離Ｓは、Ｓ＜Ｔに形成され、狭小な隙間だけが形成されている。
【００１８】
このため、スタンド構成体１１に転倒方向Ｒの外力が加えられ、スタンド構成体１１が僅かに傾くと、直ちに接支面１３ａが受面１５に接支することにより、それ以上の傾きを阻止するので、シート状固着手段１６の部分において接支面１３ａが受面１５から浮き上がることはなく、これにより、シート状固着手段１６の剥離を阻止し、スタンド構成体１１の転倒を確実に防止するという効果がある。
【００１９】
特に、本発明のスタンド構成体１１は、卓上に載置される小物のスタンド等とは異なり、キオスク端末用スタンドや、デジタルサイネージ用スタンド等のような比較的大型で重量物とされるフロアスタンドであるため、金属製の座板１２が必要になるところ、本発明によれば、第１座板１２ａと第２座板１２ｂの金属板を二枚重ねとすることにより所望強度の座板１２を提供することが可能であり、しかも、この際、金属板による二枚重ねの構成を効果的に利用することにより、第１座板１２ａに開設した窓孔２１により凹陥部２０を形成し、第１座板１２ａに重合固着された第２座板１２ｂにより凹陥部２０の内側底面（取付面２０ａ）を形成するように構成しているので、使用するシート状固着手段１６の厚さＴに対して所定の板厚を有する第１座板１２ａを選択するだけで、第１座板１２ａに窓孔２１を打抜きにより開口させる簡単な加工により、該第１座板１２ａの板厚に相当する深さＤの凹陥部２０を容易に形成することができ、これにより、前記Ｓ＜Ｔの条件を簡単容易に実現できる利点がある。
【００２０】
そして、請求項２に記載の本発明によれば、前記第１座板１２ａの打ち抜きに際して、間隔をあけて複数の窓孔２１を開口させれば複数の凹陥部２０が形成されるので、これにより、前記座板１２と受面１５の間に、面ファスナ手段１７を構成する複数のシート状固着手段１６を所定間隔で配置することが可能になり、その結果、それぞれの凹陥部２０の周囲の座面１３により接支面１３ａが形成されるので、上述のようなスタンド構成体１１の傾きに対して、傾きに応じた部位の接支面１３ａを受面１５に対して好適に接支させることができるという効果がある。
【００２１】
請求項３に記載の本発明によれば、スタンド構成体１１を受面１５に起立設置させる際、座板１２に設けられたシート状固着手段１６における第２ファスナシート１９の粘着手段１９ａを露出させておくことにより、スタンド構成体１１の起立設置と同時に第２ファスナシート１９をフロア面の受面１５に固着させることができる実益がある。
【００２２】
請求項４に記載の本発明によれば、保守点検や修理を終えた後のスタンド構成体１１を元の場所に再び起立設置させる際、第１ファスナシート１８と第２ファスナシート１９を正確に位置決めさせなくても、再度、良好に係着させることができる利点がある。
【図面の簡単な説明】
【００２３】
【図１】本発明の第１実施形態に係る設置装置を備えたスタンド構成体の設置状態を示す斜視図である。
【図２】スタンド構成体の設置方法を示す斜視図である。
【図３】第１実施形態に係る設置装置を示しており、（Ａ）は座板の座面を示す斜視図、（Ｂ）は凹陥部と面ファスナ手段を斜視方向から示す断面図、（Ｃ）は縦断面図である。
【図４】座板を受面に設置する直前の状態を示す断面図である。
【図５】座板を受面に設置した状態を示す断面図である。
【図６】座板を受面から剥離した状態を示す断面図である。
【図７】座板を受面に再度設置した状態を示す断面図である。
【図８】再設置用の位置決め手段を設けた実施形態を示しており、（Ａ）は位置決め手段を設けた座板の斜視図、（Ｂ）は断面図である。
【図９】前記位置決め手段を設けた座板を受面に設置する直前の状態を示す断面図である。
【図１０】前記位置決め手段を設けた座板を受面に設置した状態を示す断面図である。
【図１１】前記位置決め手段を設けた座板を受面に設置する際の作用を示す斜視図である。
【図１２】本発明に対する比較例を示す断面図である。
【発明を実施するための形態】
【００２４】
以下図面に基づいて本発明の好ましい実施形態を詳述する。
【００２５】
（第１実施形態）
図１ないし図７は、本発明の第１実施形態を示しており、スタンド構成体１１は、従来技術に関して上述したような店舗等に設置されるキオスク端末用スタンドにより例示されるフロアスタンドを構成し、該スタンド構成体１１の下端部に座手段を構成する座板１２を設けており、該座板１２をフロア１４に載置することにより起立設置させられるように構成している。従って、座板１２の下面は、平坦な座面１３を形成し、フロア１４の平坦なフロア面の所定個所を受面１５として、座面１３を受面１５の上に安定状態で載置させられる。
【００２６】
図示のように、座板１２の下面に形成された座面１３には、間隔をあけて複数個所（図例では千鳥状に配置された４個所）に位置して、シート状固着手段１６が設けられている。図１ないし図７に示す第１実施形態の場合、シート状固着手段１６は、マジックテープ（登録商標）やベルクロ（登録商標）のような面ファスナ手段１７により構成されており、図３（Ｃ）に示すように、相互に着脱自在に係着された第１ファスナシート１８と第２ファスナシート１９により構成され、両ファスナシート１８、１９の係着面と反対側の表面にそれぞれ両面粘着テープから成る第１粘着手段１８ａと第２粘着手段１９ａを設けており、これにより全体厚さが「厚さＴ」とされている。
【００２７】
前記第１粘着手段１８ａ及び第２粘着手段１９ａは、面ファスナ手段１７が製品として提供されるときは離型シートにより被覆されている。本発明の設置装置は、離型シートを剥離することにより露出した第１粘着手段１８ａを座板１２に粘着し、第２粘着手段１９ａを被覆する離型シート１９ｂは、スタンド構成体１１を被設置体１４に設置する際に剥離される。
【００２８】
前記座板１２の座面１３は、間隔をあけて複数個所（図例では千鳥状に配置された４個所）に位置して、凹陥部２０を設けており、該凹陥部２０の内側底面により前記シート状固着手段１６を取付けるための取付面２０ａを形成し、該凹陥部２０の外側面（前記座面１３自体）により接支面１３ａを形成している。
【００２９】
そこで、前記第１ファスナシート１８の第１粘着手段１８ａが前記取付面２０ａに粘着ないし接着により固着され、これにより面ファスナ手段１７が座板１２に設けられている。このため、図３（Ｃ）に示すように、厚さＴとされた面ファスナ手段１７は、凹陥部２０の深さＤだけ接支面１３ａから没入されており、接支面１３ａから突出する面ファスナ手段１７の突出量はＴ−Ｄとされている。
【００３０】
本発明において、前記スタンド構成体１１の座手段を構成する座板１２は、前記受面１５に対向する下側の金属板製の第１座板１２ａと、該第１座板１２ａの上に重合固着された金属板製の第２座板１２ｂを備えており、前記第１座板１２ａに窓孔２１を開口することにより、前記凹陥部２０を形成している。つまり、第１座板１２ａに開設した窓孔２１により凹陥部２０を形成し、第１座板１２ａに重合固着された第２座板１２ｂにより凹陥部２０の内側底面（前記取付面２０ａ）を形成している。これにより、第１座板１２ａに窓孔２１を打抜きにより開口させる簡単な加工で、該第１座板１２ａの板厚に相当する深さＤの凹陥部２０を容易に形成することができる利点がある。
【００３１】
好ましくは、座面１３には、複数個の凹陥部２０が形成され、各凹陥部２０の取付面２０ａに面ファスナ手段１７が設けられている。この際、図３（Ｂ）に示すように、凹陥部２０及び取付面２０ａの面積は、面ファスナ手段１７の面積よりも大きく形成されている。つまり、凹陥部２０及び面ファスナ手段１７を矩形状に形成した図示実施形態の場合、面ファスナ手段１７の縦横幅Ｗ１と凹陥部２０の縦横幅Ｗ２は、Ｗ１＜Ｗ２とするように形成されている。これにより、凹陥部２０は、取付面２０ａに固着された面ファスナ手段１７の周囲に遊びとなる環状凹部２０ｂを形成する。尚、凹陥部２０及び面ファスナ手段１７は、図例のような矩形状の他、多角形状や、円形又は楕円形等、任意の形状に形成しても良い。
【００３２】
上記第１実施形態によれば、スタンド構成体１１を被設置体１４の所定の受面１５に起立設置させる場合、図４に示すように、座板１２の下面に設けられた面ファスナ手段１７の離型シート１９ｂを剥離し、これにより露出させられた第２粘着手段１９ａを受面１５に対して粘着ないし接着により固着させ、図１に示すように、被設置体１４の上にスタンド構成体１１を起立設置させれば良く、これにより、スタンド構成体１１の起立設置と同時に第２粘着手段１９ａが受面１５に固着されるので、複数個所（図例では４個所）に配置されたシート状固着手段１６において、それぞれの第１ファスナシート１８と第２ファスナシート１９の相互間に位置ずれを生じることはない。
【００３３】
起立設置状態において、図５に示すように、厚さＴとされた面ファスナ手段１７は、深さＤとされた凹陥部２０に埋没され、Ｄ＜Ｔに形成されている。従って、座板１２の接支面１３ａと受面１５の間の距離Ｓは、Ｓ＜Ｔに形成され、距離Ｓで示される隙間を可及的小さくすることができる。
【００３４】
このため、スタンド構成体１１に転倒方向Ｒの外力が加えられ、スタンド構成体１１が僅かに傾くと、直ちに接支面１３ａが受面１５に接支することにより、それ以上の傾きを阻止するので、面ファスナ手段１７の部分において接支面１３ａが受面１５から浮き上がることはなく、これにより、第１ファスナシート７が第２ファスナシート８から剥離することを防止し、スタンド構成体１１の転倒を確実に防止する。
【００３５】
尚、面ファスナ手段１７は、スタンド構成体１１の重力を受けることにより、第１ファスナシート１８と第２ファスナシート１９の係着片を相互に喰い込ませながら厚さＴを減じるので、前記隙間を示す距離Ｓは、ほとんどゼロに近くなり、両ファスナシート１８、１９の剥離防止のために良好に機能する。
【００３６】
図示実施形態の場合、複数の凹陥部２０と複数の面ファスナ手段１７を座面１３に千鳥状に配置し、接支面１３ａを格子状に形成しているので、スタンド構成体１１の傾きに応じた部位の接支面１３ａが受面１５に対して好適に接支させられる。
【００３７】
起立設置状態からスタンド構成体１１を強く引き上げると、座板１２と共に第１ファスナシート１８が第２ファスナシート１９から剥離される。尚、第２ファスナシート１９は受面１５に残置される。従って、図２に示すように、スタンド構成体１１は、倒伏させ又は別の場所に移動することができる。これにより、スタンド構成体１１の保守点検や修理を容易に行うことが可能である。
【００３８】
保守点検や修理を終えたスタンド構成体１１を再び受面１５に戻して、起立設置する場合、図６に示すように、上方から視認する作業者は、座板１２の下面に位置する第１ファスナシート１８と、受面１５に残置した第２ファスナシート１９を正確に位置決めすることが困難である。この点に関して、上述のように、第１ファスナシート１８の周囲には凹陥部２０による環状凹部２０ｂが形成されているので、多少の位置ずれが生じても、図７に示すように、第２ファスナシート１９が環状凹部２０ｂにより囲まれた領域に位置する限り、両ファスナシート１８、１９を好適に係着させることができ、しかも、両者を係着することによりスタンド構成体１１を起立設置した状態で、座板１２の接支面１３ａと受面１５の間の距離Ｓで示す隙間を可及的小さくするように抑制し、上述と同様の転倒防止手段を構成する。
【００３９】
（再設置用の位置決め手段を設けた実施形態）
図８ないし図１１は、上記第１実施形態の設置装置に加えて、再設置用の位置決め手段２２を設けた実施形態を示している。
【００４０】
位置決め手段２２は、座板１２のコーナ部分又は直線縁部分に沿って設けられた指標片２３を備えており、該指標片２３は、下面に粘着手段２４を設けると共に、座板１２に対して分離自在な仮止め手段２５により固定されている。図示構成の場合、前記粘着手段２４は、両面粘着テープにより構成され、該両面粘着テープの延長部分を座板１２に粘着することにより前記仮止め手段２５を形成しており、該両面粘着テープの下面を離型シート２６により被覆している。
【００４１】
そこで、上述のようにスタンド構成体１１を所定の受面１５に起立設置させる際、図９に示すように、前記離型シート２６を剥離させ、前記粘着手段２４を構成する両面粘着テープの下面を露出させる。従って、図１０に示すように、スタンド構成体１１を受面１５に起立設置したとき、指標片２３は、座板１２の所定個所に設けられた状態で、前記粘着手段２４を介して受面１５に固着される。
【００４２】
保守点検や修理のために、起立設置状態からスタンド構成体１１を強く引き上げることにより、上述のように第１ファスナシート１８を第２ファスナシート１９から剥離したとき、座板１２が仮止め手段２５から剥離され、座板１２と指標片２３を分離させることにより、図１１に示すように、指標片２３を受面１５に残置させる。
【００４３】
そこで、保守点検や修理を終えたスタンド構成体１１を再び受面１５に戻して、起立設置する場合、図１１に示すように、受面１５に指標片２３が残置されているので、これを指標として目視しながら、座板１２を元の位置に戻すことができ、その状態で、再び第１ファスナシート１８を第２ファスナシート１９に係着させれば良い。
【符号の説明】
【００４４】
１１  スタンド構成体
１２  座板
１２ａ  第１座板
１２ｂ  第２座板
１３  座面
１３ａ  接支面
１４  被設置体
１５  受面
１６  シート状固着手段
１７  面ファスナ手段
１８  第１ファスナシート
１８ａ  第１粘着手段
１９  第２ファスナシート
１９ａ  第２粘着手段
１９ｂ  離型シート
２０  凹陥部
２０ａ  取付面
２０ｂ  環状凹部
２１  窓孔
２２  再設置用の位置決め手段
２３  指標片
２４  粘着手段
２５  仮止め手段
２６  離型シート
【手続補正３】
【補正対象書類名】図面
【補正対象項目名】図１２
【補正方法】変更
【補正の内容】
【図１２】
2017097209.tif 000017
【手続補正４】
【補正対象書類名】図面
【補正対象項目名】図１３
【補正方法】削除
【補正の内容】
【手続補正５】
【補正対象書類名】図面
【補正対象項目名】図１４
【補正方法】削除
【補正の内容】